(57)【要約】      （修正有）【課題】浮遊用物体の姿勢が傾いてしまうという事態の発生を抑制した磁気浮遊玩具を提供する。【解決手段】磁気浮遊玩具は、磁石１２，１３が内蔵された浮遊用物体と、磁石１２，１３との間で、浮遊用物体を浮遊させるための磁力を発生させる磁石と、浮遊用物体の内部に収容される錘１５と、浮遊用物体の内部における錘１５の位置を調節するスイングアーム１４および案内棒１４ａとを備える。浮遊用物体の内部における重量の偏りのために、浮遊している状態の浮遊用物体の姿勢が傾く場合には、スイングアーム１４および案内棒１４ａにより、浮遊用物体の内部に収容される錘１５の位置を調節することにより、浮遊用物体内部の重量の偏りを調節することができる。【選択図】図２
0003187592.tif 000002
【実用新案登録請求の範囲】
【請求項１】
第１磁石が内蔵された浮遊用物体と、
前記第１磁石との間で、前記浮遊用物体を浮遊させるための磁力を発生させる第２磁石と、
前記浮遊用物体の内部に収容される錘部材と、
前記浮遊用物体の内部における前記錘部材の位置を調節する位置調節部とを備える
ことを特徴とする磁気浮遊玩具。
【請求項２】
前記位置調節部は、
前記浮遊用物体の内部における予め設定された移動範囲内で前記錘部材を移動可能に支持する支持部材と、
前記支持部材に連結され、前記支持部材を移動させるために操作される操作部材と備える
ことを特徴とする請求項１に記載の磁気浮遊玩具。
【請求項３】
前記支持部材は、予め設定された回転軸を中心に回転可能に前記浮遊用物体の内部に取り付けられる
ことを特徴とする請求項２に記載の磁気浮遊玩具。
【考案の詳細な説明】
【技術分野】
【０００１】
本考案は、磁力により物体を浮遊させる磁気浮遊玩具に関する。
【背景技術】
【０００２】
従来、磁石を内蔵した浮遊用物体と、浮遊用物体の外部に設けられた磁石との間で発生する磁気吸引力または磁気反発力により、浮遊用物体を浮遊させる玩具が知られている（例えば、特許文献１を参照）。
【先行技術文献】
【特許文献】
【０００３】
【特許文献１】特開２００７−２７５１３４号公報
【考案の概要】
【考案が解決しようとする課題】
【０００４】
しかしながら、浮遊用物体内部の重量の偏りのために浮遊用物体の姿勢が傾いてしまうことがあるという問題があった。
本考案は、こうした問題に鑑みてなされたものであり、浮遊用物体の姿勢が傾いてしまうという事態の発生を抑制することを目的とする。
【課題を解決するための手段】
【０００５】
上記目的を達成するためになされた本考案の磁気浮遊玩具は、第１磁石が内蔵された浮遊用物体と、第１磁石との間で、浮遊用物体を浮遊させるための磁力を発生させる第２磁石と、浮遊用物体の内部に収容される錘部材と、浮遊用物体の内部における錘部材の位置を調節する位置調節部とを備えることを特徴とする。
【０００６】
このように構成された磁気浮遊玩具では、第１磁石が内蔵された浮遊用物体と、第２磁石との間で発生する磁力により浮遊用物体が浮遊する。そして、浮遊用物体の内部における重量の偏りのために、浮遊している状態の浮遊用物体の姿勢が傾く場合には、位置調節部により、浮遊用物体の内部に収容される錘部材の位置を調節することにより、浮遊用物体内部の重量の偏りを調節することができる。
【０００７】
このため、本考案の磁気浮遊玩具によれば、浮遊用物体の姿勢が傾いた場合であっても、位置調節部を用いて錘部材の位置を調節することにより、浮遊用物体の姿勢の傾きが小さくなるように、浮遊用物体の姿勢を修正することができ、これにより、浮遊用物体の姿勢が傾いてしまうという事態の発生を抑制することができる。
【０００８】
また本考案の磁気浮遊玩具では、位置調節部は、浮遊用物体の内部における予め設定された移動範囲内で錘部材を移動可能に支持する支持部材と、支持部材に連結され、支持部材を移動させるために操作される操作部材と備えるようにしてもよい。これにより、磁気浮遊玩具の利用者は、操作部材を操作して支持部材を所望の位置へ移動させることで、錘部材の位置を調節し、浮遊用物体内部の重量の偏りを調節することができる。
【０００９】
また本考案の磁気浮遊玩具では、支持部材は、予め設定された回転軸を中心に回転可能に浮遊用物体の内部に取り付けられるようにしてもよい。これにより、支持部材を上記回転軸を中心に回転可能に支持するという簡単な構造で、錘部材の位置の調節を実現することができる。
【図面の簡単な説明】
【００１０】
【図１】磁気浮遊玩具１の斜視図である。
【図２】浮遊用物体２の内部構造を示す斜視図と、浮遊用物体２の一部を示す底面図である。
【図３】磁石１２，１３と磁石３３，３４，３５，３６との位置関係を示す図である。
【図４】浮遊用物体２の姿勢が傾いている状態を示す図である。
【考案を実施するための形態】
【００１１】
以下に本考案の実施形態について図面とともに説明する。
磁気浮遊玩具１は、図１に示すように、浮遊用物体２と台座３を備える。
浮遊用物体２は、実物の鉄道車両の外観を模して作られた車両本体１１を備えている。車両本体１１は、中空であり、車両本体１１の底面を形成する底面部２１（図２（ａ）を参照）と、底面部２１を覆い、車両本体１１の底面部２１以外の部分を構成する被覆部２２とを備える。そして車両本体１１は、その内部に磁石１２，１３（図２（ａ）を参照）を収容する。
【００１２】
台座３は、支持台３１と、支持板３２と、磁石３３，３４，３５，３６を備える。
支持台３１は、板状に形成されており、浮遊用物体２と対向する側の面（以下、支持台３１の表面という）に、支持板３２と磁石３３，３４，３５，３６が取り付けられる。
【００１３】
支持板３２は、その面が支持台３１の表面に対して垂直になるようにして、支持台３１の表面に取り付けられている。支持板３２は、浮遊用物体２が浮遊しているときにおける浮遊用物体２の位置を固定するために設けられており、浮遊用物体２は、車両本体１１の先端部を支持板３２に接触させた状態で浮遊する。
【００１４】
磁石３３，３４，３５，３６は、支持台３１の表面において、支持板３２を挟んで浮遊用物体２が接触する側に取り付けられる。また磁石３３，３４，３５，３６は、直方体状に成形されており、その一部が、支持台３１の表面から突出するようにして、支持台３１に取り付けられている。
【００１５】
車両本体１１は、図２（ａ）に示すように、その内部に、磁石１２，１３と、スイングアーム１４と、錘１５を備える。
磁石１２，１３は、円筒状に成形されており、円筒軸が、車両本体１１の長手方向Ｄ１に対して平行となるようにして底面部２１に設置される。また磁石１２，１３は、車両本体１１の先端部を支持板３２に接触させた状態で車両本体１１が浮遊している場合に、支持板３２から磁石１２までの距離が、支持板３２から磁石１３までの距離よりも短くなるように設置される。
【００１６】
スイングアーム１４は、長尺板状に形成された部材である。そしてスイングアーム１４は、その長手方向に沿った一端が、底面部２１の底面から垂直方向に突出する回転軸２３を中心にして回転可能に支持される。またスイングアーム１４は、その長手方向に沿った他端に、底面部２１の底面に形成された案内孔２４に挿入される案内棒１４ａが形成されている。なお案内孔２４は、長孔形状に形成されており、その長手方向が車両本体１１の長手方向Ｄ１に対して垂直となるように配置されている。
【００１７】
これにより案内棒１４ａは、図２（ｂ）に示すように、案内孔２４から車両本体１１の外部に向けて突出し、磁気浮遊玩具１の利用者は、車両本体１１の外側から案内棒１４ａを指で摘んで、案内棒１４ａを操作することができる。
【００１８】
したがって、案内棒１４ａを案内孔２４内で移動させることにより、スイングアーム１４を、図２（ａ）に示すように、回転軸２３を中心にして回転させることができる（矢印ＡＬ１を参照）。
【００１９】
そして錘１５は、スイングアーム１４の他端付近で、スイングアーム１４に取り付けられている。これにより、スイングアーム１４の回転方向（矢印ＡＬ１を参照）に沿って錘１５の位置を変化させることができる。
【００２０】
図３（ａ）に示すように、磁石３３，３４は、車両本体１１の先端部を支持板３２に接触させた状態において、浮遊用物体２を挟んで互いに対向することができるように配置される。また磁石３３，３４は、車両本体１１の先端部を支持板３２に接触させた状態において、磁石３３，３４の直方体を構成する一面が磁石１２の円周面と対向することができるように配置される。
【００２１】
同様に磁石３５，３６は、浮遊用物体２を挟んで互いに対向することができるように配置される。また磁石３５，３６は、磁石３５，３６の直方体を構成する一面が磁石１３の円周面と対向することができるように配置される。
【００２２】
これにより、磁石１２（１３）は、磁石３３（３５）による反発力ＲＦ１と磁石３４（３６）による反発力ＲＦ２とが釣り合う水平位置で安定するとともに、磁石３３（３５）による反発力ＲＦ１および磁石３４（３６）による反発力ＲＦ２と浮遊用物体２の重量とが釣り合う垂直位置で安定する。こうして、浮遊用物体２は支持台３１の上方で浮遊する。
【００２３】
このように構成された磁気浮遊玩具１は、磁石１２，１３が内蔵された浮遊用物体２と、磁石１２，１３との間で、浮遊用物体２を浮遊させるための磁力を発生させる磁石３３，３４，３５，３６と、浮遊用物体２の内部に収容される錘１５と、浮遊用物体２の内部における錘１５の位置を調節するスイングアーム１４および案内棒１４ａとを備える。
【００２４】
これにより磁気浮遊玩具１では、磁石１２，１３が内蔵された浮遊用物体２と、磁石３３，３４，３５，３６との間で発生する磁力により浮遊用物体２が浮遊する。そして、浮遊用物体２の内部における重量の偏りのために、浮遊している状態の浮遊用物体２の姿勢が傾く場合には、スイングアーム１４および案内棒１４ａにより、浮遊用物体２の内部に収容される錘１５の位置を調節することにより、浮遊用物体２内部の重量の偏りを調節することができる。
【００２５】
このため、磁気浮遊玩具１によれば、例えば図４に示すように、浮遊用物体２の姿勢が傾いた場合であっても、スイングアーム１４および案内棒１４ａを用いて錘１５の位置を調節することにより、浮遊用物体２の姿勢の傾きが小さくなるように、浮遊用物体２の姿勢を修正することができ、これにより、浮遊用物体２の姿勢が傾いてしまうという事態の発生を抑制することができる。例えば図４に示すように浮遊用物体２の姿勢が傾いた場合には、浮遊用物体２の姿勢が傾いているのとは逆の方向Ｄ２へ錘１５を移動させることにより、浮遊用物体２の姿勢の傾きを軽減することができる。
【００２６】
また、スイングアーム１４は、案内孔２４内で案内棒１４ａが移動できる範囲内で錘１５を支持し、案内棒１４ａは、スイングアーム１４に連結され、スイングアーム１４を移動させるために操作される。これにより、磁気浮遊玩具１の利用者は、案内棒１４ａを操作してスイングアーム１４を所望の位置へ移動させることで、錘１５の位置を調節し、浮遊用物体２内部の重量の偏りを調節することができる。
【００２７】
また磁気浮遊玩具１では、スイングアーム１４は、予め設定された回転軸２３を中心に回転可能に浮遊用物体２の内部に取り付けられる。これにより、スイングアーム１４を回転軸２３を中心に回転可能に支持するという簡単な構造で、錘１５の位置の調節を実現することができる。
【００２８】
以上説明した実施形態において、磁石１２，１３は本考案における第１磁石、磁石３３，３４，３５，３６は本考案における第２磁石、錘１５は本考案における錘部材、スイングアーム１４および案内棒１４ａは本考案における位置調節部、スイングアーム１４は本考案における支持部材、案内棒１４ａは本考案における操作部材である。
【００２９】
以上、本考案の一実施形態について説明したが、本考案は上記実施形態に限定されるものではなく、本考案の技術的範囲に属する限り種々の形態を採ることができる。
例えば上記実施形態では、浮遊用物体２を磁気反発力で浮遊させるものを示したが、磁気吸引力で浮遊させるようにしてもよい。
【符号の説明】
【００３０】
１…磁気浮遊玩具、２…浮遊用物体、３…台座、１１…車両本体、１２，１３…磁石、１４…スイングアーム、１４ａ…案内棒、１５…錘、２３…回転軸、２４…案内孔、３１…支持台、３２…支持板、３３，３４，３５，３６…磁石
【図１】
0003187592.tif 000003
【図２】
0003187592.tif 000004
【図３】
0003187592.tif 000005
【図４】
0003187592.tif 000006